(57)【要約】      （修正有）【課題】簡単な構成で安価で屈まずに靴が脱げることができる、脱ぎ部付靴を提供する。【解決手段】脱ぎ部付靴は、ヒール部分とインナーミドルソール部分に着脱材や突起部分を設けた構成になっている。【選択図】図１
2014158581.tif 000002
【特許請求の範囲】
【請求項１】
靴のヒール部分単独またはヒール部分とインナーミッドソール部分の両方に、脱ぎ部を設けたことを特徴をもつ脱ぎ部付靴。
【請求項２】
請求項１に記載の脱ぎ部は、摩擦材、着脱材、突起部の単独または複合したものを設けた特徴をもつ脱ぎ部付靴。
【請求項３】
請求項１に記載のヒール部分とインナーミッドソール部分の両方に着脱材を設けた着脱部付靴があることを特徴とする脱ぎ部付靴。
【請求項４】
請求項１に記載のヒール部分とインナーミッドソール部分の請求項２、請求項３に記載の着脱材は、着脱材Ａ、着脱材Ｂで対になり接着手段により後ずけも出来ることを特徴とする脱ぎ部付靴。
【請求項５】
請求項１に記載のヒール部分に請求項２に記載の突起部を設けた突起部付靴がある特徴とする脱ぎ部付靴。
【請求項６】
請求項１に記載の脱ぎ部の請求項２、請求項３、請求項４の着脱材と請求項２、請求項５の突起部分は、色、形をデザイン化できることを特徴とする脱ぎ部付靴。
【請求項７】
請求項１に記載の脱ぎ部の請求項２、請求項５、請求項６に記載の突起部分には、バネ、内容物、ネジを使用して位置、大きさ、高さが変化可能な突起部分を設けた突起部付靴がある特徴とする脱ぎ部付靴。
【発明の詳細な説明】
【技術分野】
【０００１】
本発明は、屈まずに脱げる仕組みを設けた靴に関するものである。
【背景技術】
【０００２】
従来には、靴を脱ぎやすくするため色々な所に着脱テープを使った靴（特許文献１、 特許文献２ 参照 ）や、靴を脱ぐところで使う道具（特許文献３、特許文献４ 参照 ）があり、靴自体に取り付けて履きやすくて脱ぎやすい道具（特許文献５、特許文献６ 参照）が考案されている。
【先行技術文献】
【特許文献】
【０００３】
【特許文献１】特開２００７−１０５５２６号公報
【特許文献２】特開２０１０−２５３２２４号公報
【特許文献３】実用新案登録第３０１６８４５号公報
【特許文献４】実用新案登録第３０９４６９７号公報
【特許文献５】特開２０００−１３９５０２号公報
【特許文献６】特開２０１１−１９４０４９号公報
【発明の概要】
【発明が解決しようとする課題】
【０００４】
従来、靴を脱ぐときは、体を屈め脱ぐ方の靴の後方を手で押し下げながらかかとを上げる手間がかかるが、足を簡単に曲げられない状態や手に物を持っているときなど困難な場合がある。
【０００５】
そこで靴を容易に履く脱ぐが出来るように着脱テープを使用した 特許文献１、 特許文献２などがあるが、脱ぐときに着脱テープをはがすため屈まなければならない。
【０００６】
また、靴を脱ぐ所で使用する道具 特許文献３、 特許文献４があるが携帯には向かない。
【０００７】
また、靴自体に取り付けることにより履く脱ぐが簡単にできるもの 特許文献５もあるが、部品点数も多く売価が高くなり、 特許文献６の道具は、使用にこつが必要になることがある。
【課題を解決するための手段】
【０００８】
上記目的を達成するため本発明の屈まずに脱げる脱ぎ部付靴は、靴のヒール部分単独またはヒール部分とインナーミッドソール部分の両方に、脱ぎ部を設けたものである。                  
【０００９】
前記記載の脱ぎ部付靴は、脱ぎ部に摩擦材、着脱材、突起部の単独または複合したものを設けたものである。
【００１０】
前記記載の脱ぎ部付靴は、ヒール部分とインナーミッドソール部分の両方に着脱材を設けた着脱部付靴がある。          
【００１１】
前記記載の脱ぎ部付靴の着脱部付靴は、ヒール部分とインナーミッドソール部分に設けた着脱材が、着脱材Ａ、着脱材Ｂで対になり接着手段により後ずけも出来る。
【００１２】
また、前記記載の脱ぎ部付靴は、ヒール部分に突起部を設けた突起部付靴がある。
【００１３】
前記記載の脱ぎ部付靴の着脱部付靴と突起部付靴は、着脱材と突起部分が、色、形をデザイン化できる構成になっている。        
【００１４】
前記記載の脱ぎ部付靴の突起部付靴は、突起部分が、バネ、内容物、ネジを使用して突起部分の位置、大きさ、高さが変化可能な突起部分を設けた構成になっている。
【発明の効果】
【００１５】
本発明の屈まずに脱げる靴の効果は、足を曲げられない時や荷物を持っているときなどに体を屈めることなく、脱ぎ部を使って脱ぐ足とは別の足、靴、杖で脱ぐ靴の後ろ部分を押すまたは押えながら踵を上げることにより靴が脱げる。
また、脱ぎ部の着脱材を使用した着脱部又は色々な材質の突起部分は、色や形を性別、年齢、靴の用途などに合わせてデザイン化することができ、突起部分の高さや大きさをバネ、内容物、ネジを使用して調節できると共に、通常の靴に接着手段で後ずけ出来る物もあり幅広く使えることができる。
【図面の簡単な説明】
【００１６】
【図１】本発明の脱ぎ部付靴の着脱部付靴の右側の左側面図、上面図、後方図。
【図２】本発明の脱ぎ部付靴の突起部付靴の右側の左側面図、上面図、後方図。
【図３】本発明の突起部付靴の各種突起部分の断面図。
【図４】本発明の着脱部付靴の各種後方図。
【発明を実施するための形態】
【００１７】
以下、本発明は、脱ぎ部付靴の着脱部付靴１の右側の左側面図、上面図、後方図を図１で表し、脱ぎ部付靴の突起部付靴２の右側の左側面図、上面図、後方図を図２で表し、突起部付靴２の変化する突起部分２２の各種例図(a)、図(b)、図(c)の断面図を図３で表し、着脱付靴１の各種後方図を図４であらわし参照して説明する。なお、本実施形態の脱ぎ部付靴の着脱部付靴１、突起部付靴２は、左右一対のものであり、基本的に左右対称構造となっているため便宜上右側のもののみを説明し、各図面には右側の脱ぎ部付靴のみを示す。      
【００１８】
図１は、本発明の脱ぎ部付靴の着脱部付靴１の右側の靴の左側面図、上面図、後方図であって、着脱部付靴１の後方にあるヒール部分１０に着脱材Ａ１２を設け、靴の側面のインナーミッドソール部分１１に着脱材Ｂ１３を設ける。
【００１９】
図２は、本発明の脱ぎ部付靴の突起部付靴２の右側の靴の左側面図、上面図、後方図であって、突起部付靴２の後方にあるヒール踵部分２１の後方に突起部分２２を設ける。
【００２０】
図３は、本発明の突起部付靴２の各種突起部の断面図であって、図(a)は突起部付靴２のヒール踵部分２１内にスプリング２３を内包した仕組みの突起部分２２である。
図(b)は突起部付靴２のヒール踵部分２１に中空で内部に内容物２４を注入、排出できる注入口２５を設けた伸縮機能のある突起部分２２である。
図(c)は、突起部付靴２のヒール踵部分２１にネジ２６が設けられた突起部分２２である。
【００２１】
図４(ａ)〜(h)は、本発明の着脱付靴１の各種例を示す後方図であって、ヒール部分１０に各種の着脱材Ａ１２が設けられている。
【実施例１】
【００２２】
図１の着脱部付靴１の右の靴を脱ぐときは、具体的に右の靴のヒール部分１０に設けられた着脱材Ａ１２に、左の靴(図示せず)のインナーミッドソール部分１１に設けられた他方の着脱材Ｂ１３を左足を動かして着け、右足の踵部分を上げても右の靴のヒール部分１０が着脱材Ａ１２、着脱材Ｂ１３により固定され靴が脱げる。
尚、対になる着脱材は、面パスナー、磁石、下向きのぎざぎざ面の引っ掛け材と上向きのぎざぎざ面の引っ掛けられ材などが使用できる。
【実施例２】
【００２３】
図２の突起部付靴２の右の靴を脱ぐときは、具体的に右の靴のヒール部分２０のヒール踵部分２１に設けられた突起部分２２を、左の靴(図示せず)で踏むまたは押え、右足の踵部分を上げても右の靴のヒール踵部分２１が固定されていることにより靴が脱げる。
なお、左の靴に変わりに通常の杖の地面を着く所で突起部２２を押さえることも可能な形状の突起部分２２もある。
【実施例３】
【００２４】
脱ぎ部付靴の中には、図１の着脱部付靴１の踵に、突起部付靴２の突起部分２２を設けたものや、突起部付靴２の突起部分２２の表面に摩擦材や着脱材を使用し、突起部分２２を押さえる力が弱くても脱げる靴もある。
【実施例４】
【００２５】
図３は、本発明の突起部付靴２の各種ヒール踵部分２１の断面図であり、図３(a)は突起部付靴２のヒール踵部分２１内にスプリング２３を内包した突起部分２２で、具体的には突起部分２２を１度押すとヒール踵部分２１の中に引っ込んで突起部分２２が外から見えなくなり、再度突起部分２２を押すと突起部分２２がヒール踵部分２１から出てくる仕組みになっている。
【実施例５】
【００２６】
図３(b)は突起部付靴２のヒール踵部分２１に中空で内部に内容物２４を注入排出可能な注入口２５を設けた伸縮機能のある突起部分２２が設けられており、具体的には突起部分２２の注入口２５から内容物２４を注入口２５から入れることにより突起部分２２が大きくなり、注入口２５から内部の内容物２４を全て抜けば突起部分２２が最小になるため、内容物２４の注入量により自分にあった大きさの突起部分２２にすることが可能である。
【実施例６】
【００２７】
図３(c)は、突起部付靴２のヒール踵部分２１にネジ２６が設けられた突起部分２２であることから、具体的にはネジ２６の部分を右に回せば突起部分２２の出る高さが低くなり、左に回せば高くなることが出来ることにより、ネジ２６の調節により自分に合わせた突起部分２２の高さにすることが可能である。
また、ネジ２６を設けた突起部分２２は、比較的安いコストで出来るとともに、通常の靴に後付けも可能である。
【実施例７】
【００２８】
図４(ａ)〜(h)は、着脱付靴１の各種例を示す後方図であって、ヒール部分１０に各種の着脱材Ａ１２が設けられているが、着脱材Ａ１２、着脱材Ｂ１３、突起部分２２の全てが年齢、性別、用途などその靴に合わせて色を含めて靴に合わせてデザイン化することが出来る。
そのことにより、具体的には着脱付靴１や突起部付靴２のヒール部分１０、ヒール踵部分２１は、オープン式の下駄箱に入れたときには、自分が選んだデザインのヒール部分１０、ヒール踵部分２１が他の靴と見分けやすくなり、自分の靴を探しやすく間違いにくくなる。
【符号の説明】
【００２９】
１    着脱部付靴
２    突起部付靴    
１０  ヒール部分
１１  インナーミッドソール部分    
１２  着脱材A
１３  着脱材B
２０  ヒール部分
２１  ヒール踵部分
２２  突起部分
２３  スプリング
２４  内容物
２５  注入口
２６  ネジ
【図１】
2014158581.tif 000003
【図２】
2014158581.tif 000004
【図３】
2014158581.tif 000005
【図４】
2014158581.tif 000006